(57)【要約】      （修正有）【課題】女袴着用時に着用する着物上衣及び袴下帯であって、女袴の着付けを容易にするとともに、着用者の体型に合わせた調節が容易であり、袴下帯のずれ落ちによる着崩れを防ぐことを可能とする女袴用着物及び帯を提供する。【解決手段】着物上衣の背中側表面に面ファスナー２が着設され、袴下帯１１の裏面に面ファスナー２に係合する面ファスナー１２が着設されている。面ファスナー２は、衿下の後ろ身頃の背中心線上に着設され、面ファスナー１２は略長方形であって、長辺方向が帯短辺方向に沿っており、帯長辺方向の一端側に着設されているのが好ましい。【選択図】図４
0003212612.tif 000002
【実用新案登録請求の範囲】
【請求項１】
背中側表面にＡ面又はＢ面の面ファスナーが着設されていることを特徴とする着物上衣と、前記面ファスナーに係合するＡ面又はＢ面の面ファスナーが裏面に着設されていることを特徴とする袴下帯とからなる女袴用着物及び帯
【請求項２】
前記着物上衣の背中側表面に着設された面ファスナーは、衿下の後ろ身頃の背中心線上に着設されていることを特徴とし、前記袴下帯の裏面に着設された面ファスナーは略長方形であって、長辺方向が帯短辺方向に沿っており、帯長辺方向の一端側に着設されていることを特徴とする請求項１記載の女袴用着物及び帯
【請求項３】
前記袴下帯は、結ぶことなく、面ファスナーにて止着し、袴下帯の結び目の代わりの帯枕を別体としていることを特徴とする請求項１乃至２いずれか記載の女袴用着物及び帯
【請求項４】
前記帯枕は、前記袴下帯に付設した布辺に着設した面ファスナーによって、前記袴下帯に装着することを特徴とする請求項３記載の女袴用着物及び帯
【考案の詳細な説明】
【技術分野】
【０００１】
本考案は、女袴着用時に着用する着物上衣及び袴下帯に関する。
【背景技術】
【０００２】
近年では、幼稚園の卒園式、小学校の入学式等において、女児が女袴を着用する機会が増えている。しかしながら、女袴の着付けは容易ではなく、せっかく着付けたとしても、よく動き回る女児にとっては、袴がずれ落ちて着崩れするという問題があった。
そこで、袴と袴下帯とを面ファスナーで係合して、着付けを容易にする袴に関する技術が公開されている。
【先行技術文献】
【特許文献】
【０００３】
【特許文献１】実用新案登録第３０７４０４０号公報
【考案の概要】
【考案が解決しようとする課題】
【０００４】
特許文献１に記載の袴は、袴と袴下帯とを面ファスナーで係合するものであるが、着付けは容易になったとしても、袴下帯は着物上衣に結ぶだけであるため、袴下帯のずれ落ちを防ぐことはできず、袴下帯がずれ落ちることにより、袴もがずれ落ちることとなり、袴の着崩れを防ぐことはできなかった。
【０００５】
そこで、本考案は、女袴の着付けを容易にするとともに、着崩れを防ぐことを可能とする女袴用着物及び帯を提供することを目的とする。
【課題を解決するための手段】
【０００６】
請求項１記載の女袴用着物及び帯は、背中側表面にＡ面又はＢ面の面ファスナーが着設されていることを特徴とする着物上衣と、前記面ファスナーに係合するＡ面又はＢ面の面ファスナーが裏面に着設されていることを特徴とする袴下帯とからなる。
【０００７】
着物上衣の背中表側の面ファスナーと、袴下帯の裏面の面ファスナーとを係合することにより、着物上衣から袴下帯のずれ落ちを防ぐことができる。そして、袴下帯に装着する袴自体のずれ落ちの防止が図れることとなる。
また、袴下帯の巻き位置の位置決めが容易となる。
【０００８】
請求項２記載の女袴用着物及び帯は、請求項１記載の女袴用着物及び帯であって、前記着物上衣の背中側表面に着設された面ファスナーは、衿下の後ろ身頃の背中心線上に着設されていることを特徴とし、前記袴下帯の裏面に着設された面ファスナーは略長方形であって、長辺方向が帯短辺方向に沿っており、帯長辺方向の一端側に着設されていることを特徴とする。
【０００９】
袴下帯裏面の面ファスナーを略長方形とすることによって、着物上衣の面ファスナーとの係合位置の上下方向の調整が可能となり、身長差等の相違にかかわらず、どのような体型の女児にも対応できるよう、調節することが可能となる。
【００１０】
請求項３記載の女袴用着物及び帯は、請求項１乃至２いずれか記載の女袴用着物及び帯であって、前記袴下帯は、結ぶことなく、面ファスナーにて止着し、袴下帯の結び目の代わりの帯枕を別体としていることを特徴とする。
【００１１】
女袴は、袴下帯に半幅帯を用いて、背中側の結び目に装着するのが通常であるが、本考案においては、袴下帯を結んで止着することなく、面ファスナーにて止着することによって、容易に袴下帯を巻き止めることができる。しかし、それでは結び目ができないため、その代わりに袴下帯に帯枕を装着して、女袴を着せ付けることとなる。
【００１２】
請求項４記載の女袴用着物及び帯は、請求項３記載の女袴用着物及び帯であって、前記帯枕は、前記袴下帯に付設した布辺に着設した面ファスナーによって、前記袴下帯に装着することを特徴とする。
【００１３】
袴下帯の結び目の代わりの帯枕を、袴下帯の布片の面ファスナーにて、袴下帯に止着することによって、袴下帯への装着が容易となる。
【考案の効果】
【００１４】
本考案によれば、袴下帯の位置決めが容易となることに加えて、巻き止めも容易である。また、袴下帯のずれ落ちを防ぐことによって、女袴自体のずれ落ちを防ぐ等の優れた効果を得ることができ、女児に適した女袴用着物及び帯を提供することができる。
【図面の簡単な説明】
【００１５】
【図１】本考案の実施の形態において、着物上衣を背中側から見た図である。
【図２】本考案の実施の形態において、袴下帯を裏面から見た図である。
【図３】本項案の実施の形態において、袴下帯を表面から見た図である。
【図４】本考案の実施の形態において、着物上衣に袴下帯の位置を決める状態の図である。
【図５】本考案の実施の形態において、着物上衣に袴下帯を巻き止めた状態の図である。
【図６】本考案の実施の形態において、袴下帯に帯枕を装着した状態の図である。
【考案を実施するための形態】
【００１６】
以下、図面を参照しつつ、本考案の実施の形態について説明する。
【００１７】
本実施の形態については、女袴着用時の着物上衣、袴下帯及び帯枕について説明する。
【００１８】
本件考案の実施の形態において、着物上衣（以下、「着物」という。）、袴下帯（以下、「帯」という。）及び帯枕から構成される。
そして、着物の身丈、袖幅、袖丈、帯の長さ、幅、帯枕の形状等については任意である。
帯の巻き止め手段として、面ファスナーを用いているが、通常のように結び留めることによっても実施可能であり、その場合、結び目を背中側にもってくることにより、帯枕を省略することも可能である。
面ファスナーのＡ面とＢ面とは係合する限りにおいて、Ａ面とＢ面とを入れ替えることが可能である。そして、面ファスナーの長さ、幅は任意であり、その着設位置も任意である。
【００１９】
以下、図１乃至図６を参照しつつ、前記着物１、前記帯１１、及び前記帯枕２１について説明していく。
【００２０】
図１は、前記着物１を背中側から見た図である。
面ファスナー１ａ２は、前記着物１の表側の衿下の後ろ身頃の背中心線上に着設しているが、前記帯１１の後記面ファスナー１ｂ１２と係合する限りにおいて、その着設位置は任意であるが、着用者の腰位置あたりが望ましい。
また、前記面ファスナー１ａ２の上下方向のサイズは、後記帯１１の短辺方向のサイズの１／３〜１／４程度が望ましく、左右方向のサイズについても、後記面ファスナー１ｂ１２の左右方向のサイズ程度が望ましい。そのようにすれば、前記面ファスナー１ａ２が前記帯１１からはみ出すこともない。
また、前記面ファスナー１ａ２はＡ面としているが、その場合には後記面ファスナー１ｂ１２にはＢ面を用いる。その逆とすることも可能である。そして、前記着物１への前記面ファスナー１ａ２の着設は、縫着、貼付等の手段による。
【００２１】
図２は、前記帯１１を裏面側から見た図である。
前記帯１１の左右方向の長さは、着用者のウエストサイズに１０〜２０ｃｍ程度加えた寸法が適切である。
面ファスナー１ｂ１２は、前記面ファスナー１ａ２に係合するものであるが、その上下方向のサイズは、前記帯１１の短辺方向よりも短い範囲であればよいが、前記短辺方向の２／３〜３／４程度の長さが望ましい。また、前記面ファスナー１ｂ１２はＢ面としているが、その場合には前記面ファスナー１ａ２にはＡ面を用いる。その逆とすることも可能である。なお、前記面ファスナー１ｂ１２は、前記帯１１の裏面側から見て、右端に設けてあるが、左端とすることも可能である。
【００２２】
面ファスナー２ａ１３は、後記面ファスナー２ｂ１４と係合して、前記帯１１を結ぶことなく、止着するためのものとなるが、その係合位置をずらすことで、ウエストサイズの調節が可能となる。前記面ファスナー２ａ１３の左右方向のサイズは、後記面ファスナー２ｂ１４と係合する限りにおいて任意であるが、前記面ファスナー１ｂ１２の上下方向のサイズ程度とすることが望ましい。なお、前記面ファスナー２ａ１３は、前記帯１１の裏面側から見て、前記面ファスナー１ｂ１２の右側に設けてあるが、前記面ファスナー１ｂ１２を、前記帯１１の裏面側から見て左端に設けた場合においては、前記面ファスナー１ｂ１２の左側に設けることとなる。
また、前記面ファスナー２ａ１３及び後記面ファスナー２ｂ１４とを設けることなく、前記帯１１を結び留めるようにすることも可能である。
【００２３】
帯枕留め布片（以下、「布片」という。）１５と面ファスナー３ａ１６とは、前記帯枕２１を前記帯１１に止着するためのものであり、前記布片１５は前記帯枕２１と同素材、同色とすることが好ましい。
【００２４】
図３は、前記帯１１を表面側から見た図である。
面ファスナー２ｂ１４の左右方向のサイズは、前記面ファスナー２ａ１３と係合して、前記帯１１を止着できる限りにおいて任意であるが、ウエストサイズの調整の面から、前記面ファスナー２ａ１３の２〜３倍程度とすることが望ましい。
面ファスナー３ｂ１７は、前記面ファスナー３ａ１６と係合して、前記帯枕２１を前記帯１１に止着するためのものである。
なお、前記面ファスナー２ａ１３及び後記面ファスナー２ｂ１４とを設けることなく、前記帯１１を結び留める場合には、前記面ファスナー２ａ１３、前記面ファスナー２ｂ１４、前記布片１５、前記面ファスナー３ａ１６、及び前記面ファスナー３ｂ１７は不要となる。
【００２５】
図４は、前記着物１に前記帯１１を装着するにあたって、前記帯１１の位置を決める状態の図である。
前記着物１の背中側表面に着設された前記面ファスナー１ａ２に対して、前記帯１１の裏面側に着設された前記面ファスナー１ｂ１２を係合させることによって、前記帯１１の装着位置を決める。その際に、着用者の体型に合わせて、前記面ファスナー１ｂ１２の上端が前記面ファスナー１ａ２の上端に対応する位置から、前記面ファスナー１ｂ１２の下端が前記面ファスナー１ａ２の下端に対応する位置の間で、前記帯１１の上下方向での調節が可能となる。
なお、本図において、前記面ファスナー３ｂ１７を省略している。
【００２６】
図５は、前記着物１に前記帯１１を巻き留めて、装着した状態の図である。
図４で示したように、前記帯１１の上下方向の位置決めをした後、前記帯１１の右端を着用者の前面に持ってきて、左側面に回して、背面の左側に持ってくる。そして、前記帯１１の左端を、前記帯１１の右端と前記着物１の背中側表面との間に位置させ、前記帯１１の裏面右端に着設された前記面ファスナー２ａ１３に、前記帯１１の表面左端に着設された前記面ファスナー２ｂ１４を係合させて、前記帯１１を止着する。
なお、前記面ファスナー２ａ１３を前記帯１１の裏面左端に着設し、前記面ファスナー２ｂ１４を前記帯１１の表面右端に着設することにより、上記のように左回りではなく、右回りとして止着することも可能である。
【００２７】
図６は、前記帯１１に前記帯枕２１を装着した状態の図である。
前記帯枕２１の中心部を、前記帯枕１１の表面に着設された前記面ファスナー３ｂ１７上に位置させ、前記布片１５を前記帯枕２１の前面に回し、前記布片１５の上端を前記帯枕２１の背面と前記帯１１の表面との間に持ってきて、前記面ファスナー３ａ１６を前記面ファスナー３ｂ１７に係合させて、前記帯枕２１を止着し、前記帯１１に装着する。その後、袴を前記帯１１の上に装着することとなる。
なお、前記帯枕２１は蝶々型としているが、その形状は任意であり、その装着も面ファスナーでの固定以外の方法に限るものではない。
【００２８】
前記帯枕２１又は前記帯枕２１を用いない場合の前記帯１１の結び目は、女袴を装着した際に、腰部分で袴が盛り上がることにより見栄えを良くするためのものであるが、当然に、前記帯枕２１等を設けずに袴を装着することも可能である。
【符号の説明】
【００２９】
１              着物上衣
２              面ファスナー１ａ
１１            袴下帯
１２            面ファスナー１ｂ
１３            面ファスナー２ａ
１４            面ファスナー２ｂ
１５            帯枕留め布片
１６            面ファスナー３ａ
１７            面ファスナー３ｂ
２１            帯枕
【図１】
0003212612.tif 000003
【図２】
0003212612.tif 000004
【図３】
0003212612.tif 000005
【図４】
0003212612.tif 000006
【図５】
0003212612.tif 000007
【図６】
0003212612.tif 000008